(57)【要約】      （修正有）【課題】眼疾患の診断の支援としての、眼球を検査するための細隙灯、及び関連の付属器、並びに眼の解剖学的及び機能状態の評価に関し、関連のミラーユニットの位置を制御するために、改良型眼科用細隙灯を提供する。【解決手段】照明ビームに求められる光の非集中化の機能を有する所望の傾斜運動は、ミラーユニット４に関連するヒンジ継手５によるミラーユニットの回転を単に行うことによって、簡単に得られる。サイズが小さくされた光の部分を回転させることのみで、作動をかなり容易にし、信頼性を高くし、且つ摩耗や故障をさせず、且つまた操作者に、労力の低減に加えて、より高い感度、正確さ、及び位置決めの迅速な応答を可能にする斜めのロッキングスクリュー６によって安定性の高いアセンブリが達成される。【選択図】図１
0003233060.tif 000002
【実用新案登録請求の範囲】
【請求項１】
細隙灯であって、
支持ベース（３１）を有する支持フレーム（３）と、
傾斜軸（Ｚ’）に沿って立ち上がる前記支持フレーム（３）の支持塔（３２）と一体の照明ユニット（１）と、
同様に前記支持フレームによって支持される観察ユニット（２）と、
前記傾斜軸（Ｚ’）に沿って前記照明ユニット（１）と整列して前記支持塔（３２）に取り付けられるミラーユニット（４）と、を含み、
前記支持塔（３２）は、前記支持フレーム（３）の残りの部分に対して、前記傾斜軸（Ｚ’）の周りで回転が固定されており、
前記ミラーユニット（４）は、前記支持塔（３２）に対する前記傾斜軸（Ｚ’）の周りに回転可能に、ヒンジ継手（５）によって前記支持塔（３２）に取り付けられ、所望の位置の前記ミラーユニットの回転に対する選択的ロッキング手段（６）を含む、前記傾斜軸（Ｚ’）の周りでの前記ミラーユニットの回転を制御する手段が設けられており、前記選択的ロッキング手段は、縦方向軸が前記傾斜軸（Ｚ’）に対して直角な平面（ＸＹ）に対して角度が付けられた状態で前記支持塔（３２）に配置されたスクリュー（６）を含み、前記スクリューの先端部（６ｂ）によって前記ヒンジ継手（５）と機械的に干渉するように設けられる、細隙灯。
【請求項２】
前記スクリュー（６）は、前記先端部（６ｂ）から前記ベース（３１）へ向かって下向きである前記縦方向軸を有する、請求項１に記載の細隙灯。
【請求項３】
前記スクリュー（６）の前記縦方向軸と前記平面（ＸＹ）との間の角度（α）は２０°〜４０°である、請求項１又は２に記載の細隙灯。
【請求項４】
前記ヒンジ継手は、前記傾斜軸（Ｚ’）に沿って上昇するピン（５ａ）を含み、前記ピンにより前記ミラーユニット（４）と前記ヒンジ継手とは一体となり、かつカップ状のベース（５ｂ）と同軸になり、前記ピン（５ａ）は、前記支持塔（３２）の隣接部分に回転自在に接続されている、請求項１〜３のいずれか１項に記載の細隙灯。
【請求項５】
前記支持塔（３２）に含まれる前記スクリュー（６）は、前記先端部（６ｂ）と前記ピン（５ａ）の外側面に形成されたキャビティ（５ｃ）との間の機械的干渉によって前記ピン（５ａ）にロッキング作用を加えるように設けられる、請求項４に記載の細隙灯。
【請求項６】
前記キャビティ（５ｃ）は、前記傾斜軸（Ｚ’）に対して直交する平面に従った断面においてＶ字形状のプロファイルで示される底部を有する、請求項５に記載の細隙灯。
【請求項７】
前記スクリュー（６）の前記先端部（６ｂ）は、回転楕円体又は全体的にキャップのような形状を有する、請求項１〜６のいずれか１項に記載の細隙灯。
【請求項８】
前記スクリュー（６）は、前記支持塔（３２）の外部の、前記先端部（６ｂ）に対向する端部に操縦ノブ（６ａ）を有する、請求項１〜７のいずれか１項に記載の細隙灯。
【考案の詳細な説明】
【技術分野】
【０００１】
説明
本考案は、眼科の分野に関し、特に眼疾患診断の支援として、患者の眼を観察するための器械の分野に関する。より具体的には、本考案は、眼球の検査のための細隙灯、及び関連の付属器、並びに眼の解剖学的及び機能状態の評価に関する。
【背景技術】
【０００２】
そのような器械は本質的に、照明ユニットと、可変倍率が設定され得る観察ユニット、すなわち顕微鏡とを含み、それらは双方とも、フレームによって支持されている。後者は、水平面に載置するベースから立ち上がっていて、好都合にも、ユニットが垂直回転軸の周りで回転できるようにもして、上述のユニットを支持する。高い位置に配置された照明ユニットでは、光ビームは公知の方法で光学的に「遮蔽されて」おり、角膜部を見るのに好適な細い線状の光を生じ、このために、真っ直ぐに下方に投影される細い線状の光は、下部のミラーユニットによって患者の眼の方へ水平に偏向される。
【０００３】
多くの場合、光の焦点と観察中心は、双方とも焦点面及び焦点位置であるため、一致する。しかしながら、いくつかの検査、例えば特にいわゆる「散乱強角膜照明（scattering sclero-corneal illumination）」及び「間接的後方照明（indirect retro-illumination）」を行う際には、照明ビームの光を非集中化させる（decentralise）必要がある。実際には、照明ビームは、焦点を、観察中心から遠ざけて眼内の方へ向かうように動かすように調整（intervened）される。
【考案の概要】
【考案が解決しようとする課題】
【０００４】
実際には、そのような結果は、公知の細隙灯では、ノブによって制御される照明ユニット１の支持塔全体のその垂直軸の周りで回転させて、光放射線を放出する細隙のいわゆる傾斜によって、達成されている。実際には、この傾斜軸は、照明ユニットからの照明ビームの出力軸と一致し、及びユニット自体とミラーユニットとの間の整列軸を表す。そのようなユニットは嵩張って重いため、そのように動かすことは、所望の可制御性及び精度を保証することが困難であるため、比較的難しい。
【０００５】
いくつかの他の細隙灯のモデルでは、上述のような照明ユニットの傾斜操作によって可能にされるものよりも、快適で信頼性高く且つ正確な方法で観察するために、照明ビームの光の非集中化を獲得できる仕組みが実施されている。
【課題を解決するための手段】
【０００６】
本考案は、新たな形態にすることによって、任意の公知の解決法のものよりもさらに利便性を高めることができる解決法を提供する。
【０００７】
それゆえ、そのような結果は、請求項１に記載の本質的な特徴を有する、本考案による眼科用の細隙灯によって達成される。
【０００８】
ここで、添付図面を参照して非限定的な例として提供される実施形態に従う記載によって、本考案をより詳細に説明する。
【図面の簡単な説明】
【０００９】
【図１】本考案に係る細隙灯の不等角投影図である。
【図２】図１の細隙灯の傾斜軸を含む垂直平面に沿って取った、ミラーユニットの領域における、本考案に関する要部のみを示す断面図である。
【図３】図２の平面ＩＩＩ−ＩＩＩにおける、細隙灯の断面図である。
【考案を実施するための形態】
【００１０】
前記図面を参照して説明すると、本考案による細隙灯は、照明ユニット１及び観察ユニット２を含み、それらの双方とも、全体的に３で示すフレームによって支持されている。後者は、水平面に載せてあるベース３１から立ち上がっていて、垂直回転軸Ｚの周りでの上述のユニットの、動き、特に回転を可能にする機器によって、ユニットを支持する。高い位置に配置された照明ユニット１では、光ビームは、公知の方法で光学的に「遮蔽されて」おり、角膜部を見るのに好適な細い線状の光を生じ、この目的のために、真っ直ぐに下方に投影される細い線状の光は、下部のミラーユニット４を通して患者の眼の方へ水平方向に偏向される。
【００１１】
照明ユニット１は、その垂直軸Ｚ’に対するいわゆる傾斜運動の影響を受けるが、これには、実際には固定されている支持塔３２全体は含まない。ミラーユニット４のみが支持塔３２に対して傾斜軸Ｚ’の周りで回転自在であり、支持塔は、フレームの残りの部分（ベース）に対して、Ｚ’に関して正確に取り付けられて固定され、主回転軸Ｚの周りで曲げることは可能のままである。
【００１２】
このために、ミラーユニット４は、ヒンジ継手５によって支持塔３２に取り付けられ、ヒンジ継手５は、ミラーユニット４が一体にされる例えばピン５ａを含み得ると共に、このミラーユニットの下側に、カップ状のベース５ｂを含み得、ピンは、傾斜軸Ｚ’に沿って支持塔３２の隣接部分から回転自在接続によって上昇する。
【００１３】
そのため、手動操作型のノブ６ａを備えるスクリュー６が塔３２に含まれ、その縦方向軸は、水平面（すなわちより一般的には、軸Ｚ’に対して直交する平面ＸＹ）に対して角度が付けられており、機械的干渉によってピン５ａにロッキング作用を加えて、ひとたび所望の位置が得られたら回転しないようにする。スクリュー６の角度αは、好ましくは、スクリューとピンとの間の係合点を通過する上述の平面と、そのような点から始まるスクリューの縦方向軸との間で、細隙灯のベース３１の方へ向かう下向き方向に測定したとき、約２０°〜４０°である。
【００１４】
好都合なことに、ロッキングスクリュー６はまた、ピン５ａの再位置決め機能を有する。実際に、スクリューは、ピンに対して圧力を生じ、ピンを上方へ押すことができる角度で動く。これは、その圧力を用いて全ての軸方向クリアランスを除去でき、それゆえ、よりセンタリングの安定性をもたらすことができることを意味する。ピン５ａの外表面は、スクリュー６が置かれる領域に、スクリュー６の回転楕円又はいずれの場合にもキャップ状の先端部６ｂの係合のためのキャビティ５ｃを有する。図３において水平断面図で示すそのようなキャビティは、Ｖ字形状のプロファイルの底部を有し、及びスクリュー６の回転楕円状端部の圧力係合によって、ミラーを正確にセンタリングする。それゆえ、ユニット４を回転させてセンタリングを回復する必要はなく、所望のセンタリングを自動的に取り戻すためには、スクリュー６を再びねじ込むことで十分である。
【００１５】
照明ビームに求められる光の非集中化の機能を有する所望の傾斜運動は（角度変化に起因して互いに相関する）、ミラーユニット４に関連するヒンジ継手５によるミラーユニット４の回転を単に行うことによって、簡単に得られ得る。サイズが小さくされた光の部分を回転させることのみで、作動をかなり容易にし、信頼性を高くし、且つ摩耗や故障をさせず（応力が低くなるため）、且つまた操作者に、労力の低減に加えて、より高い感度、正確さ、及び位置決めの迅速な応答を可能にする。概して、運動慣性の大幅な減少によって、調整、及びそれと共に診断検査の質が高くなる。本考案による斜めのスクリューロッキングシステム６によって、軸方向及び回転方向のクリアランスの問題に対して、より安定性の高いアセンブリが達成される。
【００１６】
それゆえ、構造的に単純な手法を用いて（これは実際に器械を全体的に単純にする方向へ向かう）、使用上の利点が明らかに達成され、これはさらに、公知の技術によって既にもたらされているものを改善する。
【００１７】
上述の通り、本考案は上記で説明及び図示する実施形態に限定されず、任意の実施変形例を含む。
【図１】
0003233060.tif 000003
【図２】
0003233060.tif 000004
【図３】
0003233060.tif 000005